(57)【要約】【課題】カタログ、パンフレットなどの印刷物を差し込むように形成することにより効果的に印刷物を収納することができる差し込み型カタログスタンド及びカタログスタンドセットを提供する。【解決手段】差し込み型カタログスタンド１０は、支持部１１ａと形状が直角三角形の差し込み部１１ｂを有するガイド部１１を有しており、支持部１１ａと直角三角形の差し込み部１１ｂの一方の隣辺が、一体的になるように形成されている。複数のガイド部１１は、柔軟性を有する連結部を介して連続的に連結されており、直角三角形の差し込み部１１ｂの斜辺の先端は、鋭角に形成されており、カタログ、パンフレットなどをガイド部１１とガイド部１１の間に簡単に差し込むことができるようになっている。差し込み型カタログスタンド１０は、簡易な収納及び取り出しが可能な優れたものであり、省スペースにも貢献できるものである。【選択図】図１
0003225487.tif 000002
【実用新案登録請求の範囲】
【請求項１】
支持部と形状が直角三角形の差し込み部を有するガイド部を有し、
前記支持部と前記直角三角形の差し込み部の一方の隣辺が、一体的になるように形成されており、
前記ガイド部は、複数であり、前記複数のガイド部のそれぞれの前記支持部が、柔軟性を有する連結部を介して連続的に連結されるように形成されており、
前記直角三角形の差し込み部の斜辺の先端は、鋭角になるように形成されており、
前記直角三角形の差し込み部の他方の隣辺が、下方になるように配置された状態で、前記直角三角形の差し込み部の斜辺に向かって印刷物を差し込むように形成されていることを特徴とする差し込み型カタログスタンド。
【請求項２】
前記ガイド部と前記連結部は、合成樹脂で形成されており、
前記連結部は、弾力性を有する山折りの蛇腹状であり、前記複数のガイド部のそれぞれと前記連結部のそれぞれの連結は、上方部分の連結と下方部分の連結となっており、前記上方部分の連結と前記下方部分の連結が交互となるように形成されていることを特徴とする請求項１に記載の差し込み型カタログスタンド。
【請求項３】
前記複数のガイド部の支持部の下方部分に磁石が設けられており、鉄板の上に配置することで磁力により固定されることを特徴とする請求項２に記載の差し込み型カタログスタンド。
【請求項４】
前記ガイド部の高さは、略２００ｍｍであり、
前記ガイド部の幅は、略５０ｍｍであり、
前記差し込み部の厚さは、略０．７ｍｍから略１．０ｍｍであり、
前記複数の差し込み部の間隔は、前記印刷物が差し込まれていない状態で略５．０ｍｍであり、
前記複数のガイド部は、１２個のガイド部であることを特徴とする請求項３に記載の差し込み型カタログスタンド。
【請求項５】
複数の請求項１から請求項４のいずれかに記載の差し込み型カタログスタンドを用いた差し込み型カタログスタンドセットであって、
前記複数の差し込み型カタログスタンドのそれぞれが、連結機能を有し、前記連結機能を用いて一体的なものとなるように形成されていることを特徴とする差し込み型カタログスタンドセット。
【考案の詳細な説明】
【技術分野】
【０００１】
本考案は、差し込み型カタログスタンド及びカタログスタンドセットに関する。
【背景技術】
【０００２】
カタログ、パンフレットなどの印刷物を取り出すためのカタログスタンドが従来から普及しており、例えば、１枚の厚紙を折り畳むことにより構成されるスタンドにおいて店頭でのアイキャッチのための独自性を確保すると共に、組み立てを容易にできる一段式または多段式のカタログ収納用ポケットを有するカタログスタンドが開示されている。
【先行技術文献】
【特許文献】
【０００３】
【特許文献１】特開２００２−１７７１０４
【考案の概要】
【考案が解決しようとする課題】
【０００４】
従来のカタログ、パンフレットなどの印刷物を収納するためのカタログスタンドは、印刷物を収納する場合に積み重ねるようにしており使用面で複数の種類の印刷物を収納することが困難などの問題がありより効果的なものが求められていた。本考案は、こうした点に鑑みてなされたものであり、カタログ、パンフレットなどの印刷物を差し込むように形成することにより効果的に印刷物を収納することができる差し込み型カタログスタンド及びカタログスタンドセットを提供するものである。
【課題を解決するための手段】
【０００５】
上記課題を解決するために、本考案に係る差し込み型カタログスタンドは、支持部と形状が直角三角形の差し込み部を有するガイド部を有し、前記支持部と前記直角三角形の差し込み部の一方の隣辺が、一体的になるように形成されており、前記ガイド部は、複数であり、前記複数のガイド部のそれぞれの前記支持部が、柔軟性を有する連結部を介して連続的に連結されるように形成されており、前記直角三角形の差し込み部の斜辺の先端は、鋭角になるように形成されており、前記直角三角形の差し込み部の他方の隣辺が、下方になるように配置された状態で、前記直角三角形の差し込み部の斜辺に向かって印刷物を差し込むように形成されていることを特徴とする。
【０００６】
本考案に係る差し込み型カタログスタンドの態様について、前記ガイド部と前記連結部は、合成樹脂で形成されており、前記連結部は、弾力性を有する山折りの蛇腹状であり、前記複数のガイド部のそれぞれと前記連結部のそれぞれの連結は、上方部分の連結と下方部分の連結となっており、前記上方部分の連結と前記下方部分の連結が交互となるように形成されていることが好ましい。
【０００７】
本考案に係る差し込み型カタログスタンドの態様について、前記複数のガイド部の支持部の下方部分に磁石が設けられており、鉄板の上に配置することで磁力により固定されることが好ましく、また、本考案に係る差し込み型カタログスタンドの態様について、前記ガイド部の高さは、略２００ｍｍであり、前記ガイド部の幅は、略５０ｍｍであり、前記差し込み部の厚さは、略０．７ｍｍから略１．０ｍｍであり、前記複数の差し込み部の間隔は、前記印刷物が差し込まれていない状態で略５．０ｍｍであり、前記複数のガイド部は、１２個のガイド部であることが好ましい。
【０００８】
上記課題を解決するために、本考案に係る差し込み型カタログスタンドセットは、上記の差し込み型カタログスタンドを用いた差し込み型カタログスタンドセットであって、前記複数の差し込み型カタログスタンドのそれぞれが、連結機能を有し、前記連結機能を用いて一体的なものとなるように形成されていることを特徴とする。
【考案の効果】
【０００９】
本考案によれば、カタログ、パンフレットなどの印刷物を差し込むように形成することにより効果的に印刷物を収納することができる差し込み型カタログスタンド及びカタログスタンドセットを提供することができる。
【図面の簡単な説明】
【００１０】
【図１】実施形態の差し込み型カタログスタンドの一例を示す参考図である。
【図２】実用新案の差し込み型カタログスタンドの他の例を示す参考図である。
【図３】実施形態の差し込み型カタログスタンドの他の例を示す図である。
【考案を実施するための形態】
【００１１】
以下、本考案の差し込み型カタログスタンド及び差し込み型カタログスタンドセットを、図１を用いて説明する。図１（ａ）は、実施形態の差し込み型カタログスタンド１０を斜めから見た一例を示す模式図であり、図１（ｂ）は、実施形態の差し込み型カタログスタンド１０に印刷物の一例であるカタログを差し込んでいる状態を示している参考図であり、図１（ｃ）は、実施形態の差し込み型カタログスタンド１０を２組として連結している差し込み型カタログスタンドセットの一例を示す模式図であり、図２（ａ）は、実施形態の差し込み型カタログスタンド１０を正面から見た他の一例を示す図であり、図２（ｂ）は、実施形態の差し込み型カタログスタンド１０を横から見た他の一例を示す図であり、図２（ｃ）は、実施形態の差し込み型カタログスタンド１０を斜めから見た他の一例を示す図であり、図３（ａ）は、実施形態の差し込み型カタログスタンド１０の正面の作図の一例であり、図３（ｂ）は、実施形態の差し込み型カタログスタンド１０を側面の作図の一例であり、また、図３（ｃ）は、実施形態の差し込み型カタログスタンド１０の上面の作図の一例である。なお、これらの図は、本考案の一例を示す図であり、これらに限定されず適宜最適な形状にすることができる。
【００１２】
差し込み型カタログスタンド１０は、支持部１１ａと形状が直角三角形の差し込み部１１ｂを有するガイド部１１を有している。支持部１１ａと直角三角形の差し込み部１１ｂの一方の隣辺が、一体的になるように形成されている。この例において支持部１１ａは四角柱の形状であり、差し込み部１１ｂの一方の隣辺が、図１に示すとおり支持部１１ａの一つの面の中央部分に一体的になるように固着されている。ガイド部１１は、複数であり、複数のガイド部１１のそれぞれの支持部１１aが、柔軟性を有する連結部を介して連続的に連結されるように形成されている。
【００１３】
差し込み型カタログスタンド１０は、差し込み部１１ｂの斜辺の先端が、鋭角になるように形成されている。このように差し込み部１１ｂの先端が鋭角になるように形成されていることでカタログ、パンフレットなどの印刷物をガイド部１１とこのガイド部１１に隣接するガイド部１１との間に簡単に差し込むことができるようになっている。なお、上記の先端の形状は、適宜最適なものにすることができる。
【００１４】
上記のような構成を有する差し込み型カタログスタンド１０は、直角三角形の差し込み部１１ｂの他方の隣辺を下方になるように配置された状態で、上記の斜辺に向かって印刷物を差し込むように形成されており、例えば、差し込み型カタログスタンド１０は、机、カラーボックスなどに配置することができる。なお、実施形態においては、ガイド部１１と連結部は、プラスチックなどの合成樹脂で形成されているがこれは一例であり適宜最適な部材を用いればよい。
【００１５】
上記の連結部は、例えば、弾力性を有する山折りの蛇腹状の形状で形成されている。すなわち、印刷物がガイド部１１と隣接するガイド部１１の間に差し込まれたときにこれらの間隔が印刷物の幅に合わせて拡張するような構成となっている。この例においては、複数のガイド部のそれぞれと前記連結部のそれぞれの連結は、上方部分の連結と下方部分の連結となっており、つまり上方部分の連結と下方部分の連結が交互となるように形成されている。
【００１６】
また、差し込み型カタログスタンド１０は、例えば、複数のガイド部の支持部１１ａの下方部分に磁石が設けられており、鉄板の上に配置することで磁力により固定されるように構成されている。このように鉄板を机、カラーボックスなどの上面に配置することで、上記の磁石を有する差し込み型カタログスタンド１０は、机、カラーボックスなどにしっかりと固着させることができ、印刷物の差し込み及び差し込み後の状態を安定したものとすることができる。
【００１７】
実施形態の差し込み型カタログスタンド１０の形状は、例えば、ガイド部１１の高さが略２００ｍｍであり、ガイド部１１の幅が略５０ｍｍであり、差し込み部１１ｂの厚さが略０．７ｍｍから略１．０ｍｍであり、複数の差し込み部１１ｂの間隔が印刷物を差し込んでいない状態で略５．０ｍｍであり、また、複数のガイド部１１は、例えば、１２個のガイド部であるが、これらは一例であり限定されず適宜最適な数値にすればよい。
【００１８】
また、差し込み型カタログスタンドセットは、上記の差し込み型カタログスタンド１０を用いており、複数の差し込み型カタログスタンド１０のそれぞれが連結機能を有しており、例えば、図１に示すように連結機能を用いて一体的なものとなるように形成されている。このように複数の差し込み型カタログスタンド１０を一体的にすることができることにより、カタログスタンドとしての機能を拡張することができる。
【００１９】
上記の差し込み型カタログスタンド１０及びこれを用いた差し込み型カタログスタンドセットは、カタログ、パンフレットなどの印刷物を複数の差し込み部１１ｂの間に差し込むように形成されており、簡易な収納及び取り出しが可能な優れたものであり、省スペースにも貢献できるものである。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案の差し込み型カタログスタンド及び差し込み型カタログスタンドセットは、大きさや形状、素材の種類などについては多様な実施形態が可能であり、それらについて本実施形態と異なる形態による実施は、本考案の技術的範囲に含まれる。
【符号の説明】
【００２２】
１０    差し込み型カタログスタンド
１１    ガイド部
１１ａ  支持部
１１ｂ  差し込み部
【図１】
0003225487.tif 000003
【図２】
0003225487.tif 000004
【図３】
0003225487.tif 000005
【手続補正書】
【提出日】令和1年12月30日(2019.12.30)
【手続補正１】
【補正対象書類名】実用新案登録請求の範囲
【補正対象項目名】全文
【補正方法】変更
【補正の内容】
【実用新案登録請求の範囲】
【請求項１】
支持部と形状が直角三角形の差し込み部を有するガイド部を有し、
前記支持部と前記直角三角形の差し込み部の一方の隣辺が、一体的になるように形成されており、
前記ガイド部は、複数であり、前記複数のガイド部のそれぞれの前記支持部が、柔軟性を有する連結部を介して連続的に連結されるように形成されており、
前記直角三角形の差し込み部の斜辺の先端は、鋭角になるように形成されており、
前記直角三角形の差し込み部の他方の隣辺が、下方になるように配置された状態で、前記直角三角形の差し込み部の斜辺に向かって印刷物を差し込むように形成されていることを特徴とする差し込み型カタログスタンド。
【請求項２】
前記ガイド部と前記連結部は、合成樹脂で形成されており、
前記連結部は、弾力性を有する山折りの蛇腹状であり、前記複数のガイド部のそれぞれと前記連結部のそれぞれの連結は、上方部分の連結と下方部分の連結となっており、前記上方部分の連結と前記下方部分の連結が交互となるように形成されていることを特徴とする請求項１に記載の差し込み型カタログスタンド。
【請求項３】
前記複数のガイド部の支持部の下方部分に磁石が設けられており、鉄板の上に配置することで磁力により固定されることを特徴とする請求項２に記載の差し込み型カタログスタンド。
【請求項４】
前記ガイド部の高さは、略２００ｍｍであり、
前記ガイド部の幅は、略５０ｍｍであり、
前記差し込み部の厚さは、略０．７ｍｍから略１．０ｍｍであり、
前記複数の差し込み部の間隔は、前記印刷物が差し込まれていない状態で略５．０ｍｍであり、
前記複数のガイド部は、１２個のガイド部であることを特徴とする請求項３に記載の差し込み型カタログスタンド。
【請求項５】
複数の請求項１から請求項４のいずれかに記載の差し込み型カタログスタンドを用いた差し込み型カタログスタンドセットであって、
前記複数の差し込み型カタログスタンドが、一体的なものとなるように形成されていることを特徴とする差し込み型カタログスタンドセット。